(57)【要約】自動再生ファイルを含む画像ファイル記憶メディアが挿入された時において、サムネイル画像を表示させる際、自動再生ファイルに自動再生可と記述された画像ファイルについてのみサムネイル画像のみを表示する。または自動再生否と記述された画像ファイルについてサムネイル画像の表示を使用者の要求に合わせてダミーの画像に置き換えたり、一見して認識できないサムネイル画像として表示する。
2003084223.tif 000002
【特許請求の範囲】
【請求項１】
主画像情報及びサムネイル画像情報を任意のフォーマットで格納した複数の画像ファイル、及び前記複数の画像ファイルについて少なくとも自動再生の可否、再生の順序を記述した自動再生ファイルを格納した画像ファイル記憶メディアの画像を表示する画像再生装置であって、
前記画像ファイル記憶メディアに格納された各ファイル情報を読み出す読み出し部と、
前記読み出し部によって読出された自動再生ファイルに基づき、自動再生可と記述された画像ファイルのサムネイル画像を前記画像ファイル記憶メディアから読み出すように制御する制御部と、
前記読み出し部によって読み出された画像ファイルを展開する画像展開部と、
前記画像展開部により展開された画像データを書込む記憶素子と、
前記記憶素子に書込まれたサムネイル画像を読出して一覧表示する画像表示部と、を具備する画像再生装置。
【請求項２】
前記読み出し部によって読み出された前記自動再生ファイルで自動再生可と記述された画像ファイルのサムネイル画像のみを表示するか、前記自動再生ファイルの自動再生情報にかかわらず前記画像ファイル記憶メディアに格納された全画像ファイルのサムネイル画像を表示するかを選択する入力部を更に有し、
前記制御部は、前記入力部によって選択されたサムネイル画像を前記画像ファイル記憶メディアから読み出すように制御することを特徴とする請求項１記載の画像再生装置。
【請求項３】
前記記憶素子は、サムネイル画像に相当するダミーの画像データを保持するものであり、
前記制御部は、前記読み出し部によって読み出された前記自動再生ファイルにおいて、自動再生否と記述された画像ファイルについてサムネイル画像に代えてダミーの画像を前記記憶素子より読み出すように制御することを特徴とする請求項１記載の画像再生装置。
【請求項４】
前記サムネイル画像の表示をダミー画像で表示するか、サムネイル画像として表示するかを選択する入力部を更に有し、
前記制御部は、前記入力部でサムネイル画像が選択されたときにサムネイル画像を前記画像ファイル記憶メディアから読み出し、前記入力部でダミー画像が選択されたときに前記記憶素子よりダミー画像を読み出すように制御することを特徴とする請求項３記載の画像再生装置。
【請求項５】
前記画像展開部は、
前記読み出し部によって読み出された自動再生ファイルにおいて自動再生可と記述された画像ファイルのサムネイル画像を正常な画像として展開すると共に、自動再生否と記述された画像ファイルのサムネイル画像を展開する際に、認識の困難な画像として展開することを特徴とする請求項１記載の画像再生装置。
【請求項６】
前記画像展開部は、
前記画像ファイル記憶メディアに格納された画像ファイル情報を入力として画像ファイルを伸張するファイル伸張部と、
前記記憶素子への書き込みアドレスを発生する書き込みアドレス発生部と、
前記記憶素子への読み出しアドレスを発生する読み出しアドレス発生部と、を具備するものであり、
前記自動再生ファイルの情報により自動再生否と記述された画像ファイルのサムネイル画像を展開する際に、前記書き込みアドレス発生部により前記記憶素子への書き込みアドレスを不連続の所定の規則性に則って発生させることを特徴とする請求項５記載の画像再生装置。
【請求項７】
前記画像展開部は、
前記画像ファイル記憶メディアに格納された画像ファイル情報を入力として画像ファイルを伸張するファイル伸張部と、
前記記憶素子への書き込みアドレスを発生する書き込みアドレス発生部と、
前記記憶素子への読み出しアドレスを発生する読み出しアドレス発生部と、を具備するものであり、
前記自動再生ファイルの情報により自動再生否と記述された画像ファイルのサムネイル画像を展開する際に、前記読み出しアドレス発生部により前記記憶素子への読み出しアドレスを不連続の一定の規則性に則って発生させる請求項５記載の画像再生装置。
【請求項８】
前記画像展開部は、
前記画像ファイル記憶メディアに格納された画像ファイル情報を入力として画像ファイルを伸張するファイル伸張部と、
前記記憶素子への書き込みアドレスを発生する書き込みアドレス発生部と、
前記記憶素子への読み出しアドレスを発生する読み出しアドレス発生部と、を具備するものであり、
前記自動再生ファイルの情報により自動再生否と記述された画像ファイルのサムネイル画像を展開する際に、前記書き込みアドレス発生部により前記記憶素子への書き込みアドレスを不連続の一定の規則性に則って発生させると共に、前記読み出しアドレス発生部によりその読み出しアドレスを不連続の一定の規則性に則って発生させる請求項５記載の画像再生装置。
【請求項９】
前記記憶素子は、サムネイル画像に相当する第１及び第２の相異なるダミー画像データを保持するものであり、
前記制御部は、自動再生ファイルにおいて自動再生否と記述された画像ファイルはそのサムネイル画像に代えて第１のダミー画像を前記記憶素子より読み出すように制御すると共に、前記自動再生ファイル情報に自動再生可と記述された画像ファイルのサムネイル画像が前記画像ファイル内に格納されていない場合、前記第２のダミー画像を前記記憶素子より読み出すように制御することを特徴とする請求項１記載の画像再生装置。
【請求項１０】
前記制御部は、全てのサムネイル画像が任意の画面上に出力された後に再度前記サムネイル画像が格納されていない画像ファイルの主画像を読み出し、前記主画像をサムネイル画像サイズに前記主画像のサイズを縮小した後、前記第２のダミーの画像で表示されている画像を前記縮小されたサムネイル画像に置き換えるように制御することを特徴とする請求項９記載の画像再生装置。
【請求項１１】
前記認識の困難な画像として表示されたサムネイル画像に対し、その表示を解除するか否かを選択する入力部を更に有し、
前記制御部は、前記入力部によって認識の困難な画像として展開された画像表示が解除されたときに、その画像に対応するサムネイル画像を前記画像ファイルより読み出すように制御することを特徴とする請求項５記載の画像再生装置。
【請求項１２】
前記第１のダミーの画像で表示したサムネイル画像に対し、前記第１のダミーの画像の表示を解除するか否かを選択する入力部を更に有し、
前記制御部は、前記入力部によって前記ダミーの画像での表示が解除されたときに、その画像に対応するサムネイル画像を前記画像ファイルより読み出すように制御することを特徴とする請求項９記載の画像再生装置。
【請求項１３】
前記画像表示部のディスプレイ上に表示されるＯＳＤカーソルを移動させる方向を入力する入力部と、
前記入力部により入力された情報に基づき任意のＯＳＤカーソルを前記ディスプレイ上に表示するＯＳＤ発生部と、
前記記憶素子から前記画像展開部に対し読み出された画像データ、及び前記ＯＳＤ発生部からの画像情報を重畳して前記画像表示部に出力する画像重畳部と、を更に具備することを特徴とする請求項１記載の画像再生装置。
【請求項１４】
主画像情報及びサムネイル画像情報を任意のフォーマットで格納した複数の画像ファイル、及び前記複数の画像ファイルについて少なくとも自動再生の可否や再生順序を含む制御情報を記述した自動再生ファイルを格納した画像ファイル記憶メディアのサムネイル画像を表示する画像再生方法であって、
前記画像ファイル記憶メディア内に格納された前記自動再生ファイル情報を読み出し、
前記自動再生ファイルに自動再生可と記述された画像ファイルのサムネイル画像情報を前記画像ファイル記憶メディアから読み出し、
前記読出したサムネイル画像を一覧表示することを特徴とする画像再生方法。
【請求項１５】
前記画像ファイル記憶メディア内に格納された前記自動再生ファイル情報を読み出した後、
前記自動再生ファイルで自動再生可と記述された画像ファイルにサムネイル画像のみを表示するか、前記自動再生ファイル情報にかかわらず前記画像ファイル記憶メディア内に格納された全画像ファイルのサムネイル画像を表示するかの選択入力を待ち受け、
前記画像ファイル記憶メディアから選択されたサムネイル画像を読み出すことを特徴とする請求項１４記載の画像再生方法。
【請求項１６】
前記自動再生ファイルにおいて自動再生否と記述された画像ファイルについて、サムネイル画像に代えてダミーの画像で表示することを特徴とする請求項１４記載の画像再生方法。
【請求項１７】
前記サムネイル画像の表示をダミーの画像で表示を行わせるかサムネイル画像として表示するかの選択入力を待ち受け、
選択されたサムネイル画像を表示することを特徴とする請求項１６記載の画像再生方法。
【請求項１８】
前記自動再生ファイルにおいて自動再生可と記述された画像ファイルのサムネイル画像は、そのままサムネイル画像として表示し、
前記自動再生ファイルにおいて自動再生否と記述された画像ファイルのサムネイル画像は、そのサムネイル画像を表示する際に認識の困難な画像として展開して表示することを特徴とする請求項１４記載の画像再生方法。
【請求項１９】
前記画像展開するステップは、
前記画像ファイル記憶メディアに格納された前記画像ファイル情報を入力としてファイルを伸張し、
前記画像ファイル記憶メディアに格納された前記自動再生ファイルの情報により自動再生否と記述された画像ファイルのサムネイル画像を表示する際に、伸張された画像データを書き込む記憶素子に対して不連続の所定の規則性に則って書き込みアドレスを発生し、
前記記憶素子に書き込まれた画像データを読み出す際にその読み出しアドレスを順次発生することを特徴とする請求項１８記載の画像再生方法。
【請求項２０】
前記画像を展開するステップは、
前記画像ファイル記憶メディアに格納された前記画像ファイル情報を入力としてファイルを伸張し、
前記記憶素子への書き込みアドレスを順次発生し、
前記画像ファイル記憶メディアに格納された前記自動再生ファイルの情報により自動再生否と記述された画像ファイルのサムネイル画像を表示する際に、前記記憶素子に書き込まれた画像データを読み出す読み出しアドレスを不連続の一定の規則性に則って発生することを特徴とする請求項１８記載の画像再生方法。
【請求項２１】
前記画像を展開するステップは、
前記画像ファイル記憶メディアに格納された前記画像ファイル情報を入力としてファイルを伸張し、
前記画像ファイル記憶メディアに格納された前記自動再生ファイルの情報により自動再生否と記述された画像ファイルのサムネイル画像を表示する際に、伸張された画像データを書き込む記憶素子に対して不連続の一定の規則性に則って書き込みアドレスを発生し、
前記記憶素子に書き込まれた画像データを読み出す読み出しアドレスを不連続の一定の規則性に則って発生することを特徴とする請求項１８記載の画像再生方法。
【請求項２２】
前記自動再生ファイルにおいて自動再生否と記述された画像ファイルのサムネイル画像は、第１のダミーの画像で表示し、
前記自動再生ファイル情報に自動再生可と記述された画像ファイルのサムネイル画像が前記画像ファイル内に格納されていない場合、第１のダミーの画像と異なる第２のダミーの画像で表示を行わせることを特徴とする請求項１４記載の画像再生方法。
【請求項２３】
全てのサムネイル画像が任意の画面上に出力された後に再度前記サムネイル画像が格納されていない画像ファイルの主画像を読み出し、
サムネイル画像サイズに前記主画像のサイズを縮小した後、前記第２のダミーの画像で表示されている画像を前記縮小されたサムネイル画像に置き換えることを特徴とする請求項２２記載の画像再生方法。
【請求項２４】
前記認識の困難な画像として表示されたサムネイル画像に対し、その表示を解除するか否かを選択する入力を待ち受け、
認識の困難な画像としての表示が解除されたときに、その画像に対応するサムネイル画像を前記画像ファイルに本来格納されているサムネイル画像に置き換えることを特徴とする請求項１８記載の画像再生方法。
【請求項２５】
前記第１のダミーの画像で表示されたサムネイル画像に対し、前記第１のダミーの表示を解除するか否かを選択する入力を待ち受け、
ダミーの画像での表示が解除されたときに、その画像に対応するサムネイル画像を前記画像ファイルに本来格納されているサムネイル画像に置き換えることを特徴とする請求項２２記載の画像再生方法。
【請求項２６】
任意のディスプレイ上に表示されるＯＳＤカーソルの移動させる方向を入力し、
入力された情報に基づき任意のＯＳＤカーソルを前記ディスプレイ上に表示する画像データを生成し、
前記読み出された画像データと、前記ＯＳＤ発生部からの画像データとを重畳して表示することを特徴とする請求項１４記載の画像再生方法。
【発明の詳細な説明】
技術分野
本発明は、格納された画像ファイルの自動再生機能を有するＣＦカードやＳＤカードといった画像ファイル記憶メディアを、プロジェクタやプラズマディスプレイなどの画像表示装置に挿入し、自動再生機能を使用したプレゼンテーションを行う画像再生装置及び方法に関するものである。
背景技術
近年、デジタルカメラは、本体の高画質化や低価格化に加え、パソコンやカラープリンタの高性能化と相まって、爆発的に普及し始めている。このような背景の中、デジタルカメラの更なる普及を目的とし、デジタルカメラで撮影した画像の撮影条件などの付帯情報の格納方法やカラープリンタとのインターフェースを改善する方法の提案など各社様々な規格提案活動を行っている。一方、プロジェクタにおいては、本体の小型・軽量化及び低価格化が進行し、ホームユースのプロジェクタが普及しつつある。近い将来、一般家庭でもデジタルカメラで撮影した画像に対し、プロジェクタを使用して鑑賞することが十分予想される。
第１図に従来の自動再生ファイルの再生仕様に対応した画像再生装置における、サムネイル画像の表示方法のフローチャートを示す。
まず、使用者が、デジタルカメラなどで撮影された画像ファイル記憶メディアを画像再生装置に挿入する。画像ファイル記憶メディアには複数の画像ファイル及び画像ファイルに対し自動再生設定を行う自動再生ファイルが格納されている。ここで、画像ファイル記憶メディアのファイル構成の一例を第２図に示す。第２図は、松下電器産業株式会社など４社が一般に公表しているＤＰＯＦ仕様に準拠した画像ファイル構成である。画像ファイル記憶メディア内のファイル構成は、ＲＯＯＴディレクトリの下に、一般の画像ファイルを格納するＤＣＩＭフォルダと、自動再生ファイル情報などの制御情報を格納するＭＩＳＣフォルダが設けられる。一般の画像ファイル、ＡＢＣ０００１．ＪＰＧ、ＡＢＣ０００２．ＪＰＧ等は、ＤＣＩＭフォルダの最下層に全て置かれる。ＭＩＳＣフォルダにあるＡＵＴＰＲＩＮＴ．ＭＲＫファイルは自動プリントファイル、ＵＮＩＣＯＤＥ．ＭＲＫファイルはユニコード（ＵＮＩＣＯＤＥ）文字列記述ファイル、ＡＵＴＸＦＥＲ．ＭＲＫは自動送信制御ファイルである。又ＡＵＴＰＬＡＹｎ．ＭＲＫファイルは自動再生ファイルである。この自動再生ファイルにはこれらの画像ファイルに対し、自動再生制御を行う制御情報を格納している。この制御情報は、自動再生を行う画像ファイルの指定，順序，画像送り時間の間隔などの情報である。例えば、画像ファイルとして、ＡＢＣ０００１．ＪＰＧ〜ＡＢＣ００１０．ＪＰＧの１０枚の画像ファイルがＤＣＩＭの最下層にあり、自動再生ファイルとして、ＡＢＣ０００２．ＪＰＧ、ＡＢＣ０００５．ＪＰＧ、ＡＢＣ０００９．ＪＰＧの３枚の画像を指定した場合には、画像再生装置は、上記３枚の画像ファイルのみを自動的に順番にディスプレイ上に表示し、他の７枚の画像ファイルを表示しない。
また、画像再生装置は、１６０×１２０画素からなる複数のサムネイル画像を一覧にして表示することができる。第３図に画像ファイルの構成例を示す。一般にデジタルカメラで撮像されるＪＰＥＧ形式で圧縮された画像ファイルは、アプリケーションマーカブロック、画素数、量子化テーブル等（ＪＰＥＧヘッダ）、主画像の圧縮データ領域を有している。そしてアプリケーションマーカブロックには撮影条件などの画像付帯情報、サムネイル、即ち１６０×１２０画素を圧縮したＪＰＥＧ符号が格納されており、このサムネイルの領域には又画素数、量子化テーブル等とサムネイルのＪＰＥＧ圧縮データが保持されている。尚ここでＳＯＩはスタートマーカ、ＥＯＩは終了マーカである。
さて第１図において、画像再生装置に画像ファイル記憶メディアが挿入され再生処理を開示すると、まず、自動再生ファイルの有無を検出し、自動再生ファイルがある場合、そのファイルを読出す（ステップＳ１）。そしてサムネイルの表示要求があるか否かを確認し（ステップＳ２）、この要求がなければ自動再生ファイルに記述された内容に沿って該画像ファイルを順次自動再生する（ステップＳ３，Ｓ４）。ここで、外部からの任意の入力部によりサムネイル表示の要求が割り込みで入力された場合、ステップＳ２からＳ５に進む。そして画像再生装置は画像ファイル記憶メディアからＤＣＩＭフォルダの最下層にある全ての画像ファイルのサムネイル画像データを取り出し、ディスプレイ上にサムネイル画像の一覧表を表示する（ステップＳ６）。
しかしながら、上述のような動作をさせると、自動再生ファイルの情報に関わりなくサムネイル画像を全て一覧表として表示することとなる。画像再生装置のディスプレイとしてプロジェクタやＰＤＰなどの複数の視聴者が同時に一つの画面を見ることが可能な大型映像装置を用いたとすると、通常の自動再生時には自動再生ファイル内の設定により、視聴者に対し表示させたくない画像データを表示させないので問題はない。しかし画像ファイル記憶メディア内にある画像ファイルを検索する目的でサムネイル表示を行うと、視聴者に対し見せたくない画像データまで表示されてしまうという課題を生じていた。
発明の開示
本発明の画像再生装置は、主画像情報及びサムネイル画像情報を任意のフォーマットで格納した複数の画像ファイル、及び前記複数の画像ファイルについて少なくとも自動再生の可否、再生の順序を記述した自動再生ファイルを格納した画像ファイル記憶メディアの画像を表示する画像再生装置であって、前記画像ファイル記憶メディアに格納された各ファイル情報を読み出す読み出し部と、前記読み出し部によって読出された自動再生ファイルに基づき、自動再生可と記述された画像ファイルのサムネイル画像を前記画像ファイル記憶メディアから読み出すように制御する制御部と、前記読み出し部によって読み出された画像ファイルを展開する画像展開部と、前記画像展開部により展開された画像データを書込む記憶素子と、前記記憶素子に書込まれたサムネイル画像を読出して一覧表示する画像表示部と、を具備する画像再生装置である。これによりサムネイル画像の表示においても画像ファイル記憶メディアの所有者が第三者である他の視聴者に対し表示したくない画像データを表示させないことができる。
ここでこの記憶素子は、サムネイル画像に相当するダミーの画像データを保持するものであり、前記制御部は、前記読み出し部によって読み出された前記自動再生ファイルにおいて、自動再生否と記述された画像ファイルについてサムネイル画像に代えてダミーの画像を前記記憶素子より読み出すように制御することとしてもよい。これにより画像ファイル記憶メディアの所有者が第三者である他の視聴者に対し表示したくない画像データの表示を防ぐ作用を有すると共に、画像ファイル記憶メディアの所有者に、前記自動再生ファイルにおいて自動再生否と記述された画像ファイルの存在を知らしめることができる。
ここで前記サムネイル画像の表示をダミー画像で表示するか、サムネイル画像として表示するかを選択する入力部を更に有し、前記制御部は、前記入力部でサムネイル画像が選択されたときにサムネイル画像を前記画像ファイル記憶メディアから読み出し、前記入力部でダミー画像が選択されたときに前記記憶素子よりダミー画像を読み出すように制御することとしてもよい。これにより画像ファイル記憶メディアの所有者が画像再生装置の使用シーンに応じて、第三者である他の視聴者に対し表示したくない画像データとして指定した画像を表示するか否かを選択することが可能となり、使い勝手が向上する。
ここでこの画像展開部は、前記読み出し部によって読み出された自動再生ファイルにおいて自動再生可と記述された画像ファイルのサムネイル画像を正常な画像として展開すると共に、自動再生否と記述された画像ファイルのサムネイル画像を展開する際に、認識の困難な画像として展開することとしてもよい。これによりサムネイル画像の表示において自動再生否と記述された画像ファイルを画像ファイル記憶メディアの所有者のみに認識させることができる。
ここでこの記憶素子は、サムネイル画像に相当する第１及び第２の相異なるダミー画像データを保持するものであり、前記制御部は、自動再生ファイルにおいて自動再生否と記述された画像ファイルはそのサムネイル画像に代えて第１のダミー画像を前記記憶素子より読み出すように制御すると共に、前記自動再生ファイル情報に自動再生可と記述された画像ファイルのサムネイル画像が前記画像ファイル内に格納されていない場合、前記第２のダミー画像を前記記憶素子より読み出すように制御することとしてもよい。これにより前記自動再生ファイルにおいて自動再生否とされた画像ファイルなのか或いは前記自動再生ファイルにおいて自動再生可とされているが該画像ファイル内にサムネイル画像が格納されていない画像ファイルなのかを容易に判断することができる。
ここで前記第１のダミーの画像で表示したサムネイル画像に対し、前記第１のダミーの画像の表示を解除するか否かを選択する入力部を更に有し、前記制御部は、前記入力部によって前記ダミーの画像での表示が解除されたときに、その画像に対応するサムネイル画像を前記画像ファイルより読み出すように制御することとしてもよい。これにより前記自動再生ファイルにおいて自動再生否と記述された画像ファイルのサムネイル表示に対しても画像再生装置上で前記自動再生否の指定を解除し、該画像ファイルが有するサムネイル画像データを表示させることができる。
発明を実施するための最良の形態
（実施例１）
以下、本発明の実施例１について、第４図から第８図を用いて説明する。
第４図は、本発明における画像再生装置の構成を示すブロック図である。第４図において、画像ファイル記憶メディア１は例えばＣＦカードやＳＤカードといった着脱自在のメディアである。画像ファイル記憶メディア１は少なくともデジタルカメラなどで撮影された画像ファイル２、自動再生ファイル３を格納する。読み出し部４は画像ファイル記憶メディア１内にある画像ファイル２及び自動再生ファイル３等の各ファイルを読み出すためのものであり、画像展開部５は画像ファイル２を展開するものである。記憶素子６は画像展開部５により展開された画像データを一時的に保存するものであり、画像表示部７は画像展開部５により展開された画像データをもとに任意のディスプレイ上に表示する。制御部８は各回路ブロックを制御するものであり、入力部９は外部から使用者が本画像再生装置の種々のメニューを実行命令するためのものである。入力部９の一例としては、画像再生装置本体に取り付けられたボタンやスイッチ，或いは赤外線リモコンやＵＳＢマウスなどのＵＳＢデバイスが挙げられる。
ここで、画像ファイル記憶メディア１のファイル構成の一例を第２図に示す。第２図は、ディジタルカメラで撮像した画像を出力する統一フォーマットであるＤＰＯＦ仕様に準拠した画像ファイル構成である。画像ファイル記憶メディア内のファイル構成は、ＲＯＯＴディレクトリの下に一般の画像ファイルを格納するＤＣＩＭフォルダと自動再生ファイル情報などの制御情報を格納するＭＩＳＣフォルダに大別される。一般の画像ファイル、ＡＢＣ０００１．ＪＰＧ、ＡＢＣ０００２．ＪＰＧ等は、ＤＣＩＭフォルダの最下層に全て置かれる。これらの画像ファイルに対し、自動再生制御を行う制御情報をＭＩＳＣフォルダの下にあるＡＵＴＰＬＡＹｎ．ＭＲＫファイルに格納する。このＡＵＴＰＬＡＹｎ．ＭＲＫファイルには、自動再生を行う画像ファイルの指定，順序，画像送り時間の間隔などの情報が書き込まれている。例えば、画像ファイルとして、ＡＢＣ０００１．ＪＰＧ〜ＡＢＣ００１０．ＪＰＧの１０枚の画像ファイルがＤＣＩＭの最下層にあり、自動再生ファイルとして、ＡＢＣ０００２．ＪＰＧ、ＡＢＣ０００５．ＪＰＧ、ＡＢＣ０００９．ＪＰＧの３枚の画像を指定した場合、画像再生装置は、自動的に上記３枚の画像ファイルの画像データのみを自動的に順番に表示デバイス上に表示し、他の７枚の画像ファイルの画像データを表示しない。
また、画像再生装置は、通常サムネイルと呼ばれる１６０×１２０画素の画像データを一覧にして表示することができる。第３図に画像ファイル２の構成例を示す。一般にデジタルカメラで撮像されるＪＰＥＧ形式で圧縮された画像ファイル２は、主画像のＪＰＥＧ圧縮データの他にアプリケーションマーカブロックに撮影条件などの画像付帯情報とともにサムネイル画像を格納している。画像再生装置は、サムネイル表示の要求がある場合、制御部８により読み出し部４を介して画像ファイル記憶メディア１からＤＣＩＭフォルダの最下層にある各画像ファイルの中のサムネイル画像ブロックを取り出して、画像表示部７から任意のディスプレイ上に複数のサムネイル画像を表示する。
以上のようなフォーマットで格納された画像ファイル記憶メディア１が、本画像再生装置に挿入され、任意の入力部９により、サムネイル画像の表示が要求された場合の動作について第５図のフローチャートを用いて説明する。まずステップＳ１１において、制御部８は、画像ファイル記憶メディア１に格納されたファイル内容を読み出すために読み出し部４に対し制御を行い、画像ファイル記憶メディア１の自動再生ファイルを読み出す。そしてステップＳ１２において入力部９よりサムネイル表示の要求があるかどうかをチェックする。サムネイルの表示要求がなければステップＳ１３，Ｓ１４において自動再生ファイルで指定された主画像を取り出してその主画像を自動再生する。
さてサムネイルの表示要求があればステップＳ１２からＳ１５に進む。そしてステップＳ１５で自動再生ファイル３の内容を制御部８が読みとり、その自動再生ファイル３に記述された画像ファイルのサムネイル画像のみを画像ファイル記憶メディア１から画像展開部５へ読み出す。画像展開部５は、制御部８からの制御により、この例の場合、ＪＰＥＧ圧縮された画像データを画像表示部７上で画像表示できるようにＪＰＥＧ伸張を行い、記憶素子６に展開する。制御部８は記憶素子６に展開された画像データを画像展開部５から読み出し、画像表示部７に転送し、ステップＳ１６においてサムネイルの一覧を任意のディスプレイ上に表示する。
例えば、上述の例のように、画像ファイルとして、ＡＢＣ０００１．ＪＰＧ〜ＡＢＣ００２０．ＪＰＧの２０枚の画像ファイルがＤＣＩＭの最下層にあり、自動再生ファイルとして、ＡＢＣ０００２．ＪＰＧ、ＡＢＣ０００５．ＪＰＧ、ＡＢＣ０００９．ＪＰＧ等の６枚の画像が指定されているとする。このときは制御部８から読み出し部４に対し、まず、ＡＢＣ０００２．ＪＰＧに対応したサムネイル画像を画像ファイル記憶メディア１から画像展開部５へ読み出すように制御を行う。次に、ＡＢＣ０００５．ＪＰＧファイルを同様の手順で読み出し、ＡＢＣ０００５．ＪＰＧに格納されたサムネイル画像を展開する。第６図はこうして展開した記憶素子６の内容を示している。こうして展開された画像は第７図に示すようにディスプレイ上に画像表示される。
以上のように、本実施例の構成によれば、サムネイル画像表示時においても、制御部８から自動再生ファイル３の情報を読みとることにより、画像ファイル記憶メディア１内にある自動再生ファイル３に自動再生可と記述された画像ファイルのサムネイル画像のみディスプレイ上に表示する。そのため画像ファイル記憶メディア１の所有者が第三者である他の視聴者に表示させたくないと考えて、自動再生ファイル３に自動再生否と記述した画像ファイルは、主画像の自動再生時は勿論のこと、サムネイル画像表示の時にも本画像再生装置のディスプレイ上に表示させないことができる。本発明は、プロジェクタのように不特定多数の視聴者が同時に視聴可能な大画面ディスプレイを使用したプレゼンテーションにおいて、特に有用である。
次にこの実施例の変形例について説明する。プロジェクタを使用したプレゼンテーションにおいても例えば、あるプロジェクトのミーティングで用いられる場合もある。この場合自動再生ファイル３により自動再生否と記述された画像ファイルの画像データの内容を含めてミーティング参加者全員が検討することがある。このような場合、いちいち画像ファイル記憶メディア１内の自動再生ファイル３の内容を変更するのは手間がかかる。また変更してから元の状態に戻す作業を忘れてしまった場合、他の自動再生機能対応の機器で該画像ファイル記憶メディアを再生した時に本来自動再生否と指定された画像ファイルの画像データまでディスプレイ上に表示してしまうという課題を生じる。
第８図のフローチャートはこのような欠点を解消したものであって、ステップＳ２１〜Ｓ２４は実施例１のステップＳ１１〜Ｓ１４と同一である。さてサムネイルの表示要求があると、ステップ２５において全画像の表示要求があるかどうかを識別する。この要求がなければステップＳ２６において、前述の場合と同様に、自動再生ファイルで指定されたサムネイルのみを取り出す。一方全画像の表示要求があればステップＳ２７において全画像ファイルのサムネイル画像の表示を行うか否かのメニュー画面を表示させ、入力部９から全画像ファイルのサムネイル画像の表示を行うか否かの確認を入力できるようにする。確認されればステップＳ２８において全画像ファイル内のサムネイルを取り出す。そしてステップＳ２９に進んでサムネイルの一覧表を表示する。こうすることにより、画像ファイル記憶メディア１内の自動再生ファイル３に記述された内容に従ってサムネイル画像を表示するか、画像ファイル記憶メディア内にある全ての画像ファイルのサムネイル画像を表示するかを、画像再生装置の使用者が選択できる。また、画像ファイル記憶メディア１内にある全画像ファイルのサムネイル画像を表示する場合、自動再生ファイル３に画像ファイル記憶メディアの所有者がわざわざ自動再生否と記述した画像ファイルの画像データを含めてディスプレイ上に表示するので、この実施例のステップＳ２７に示されるように、確認を要求することが好ましい。こうすれば画像ファイル記憶メディア１の所有者の立場に立ったセキュリティ強化を行うことができる。
（実施例２）
次に、本発明の実施例２について、第９図から第１１図を用いて説明する。
実施例１の構成において、画像ファイル記憶メディア１に格納された自動再生ファイル３に記述された情報に基づいてサムネイル画像を表示した場合、自動再生ファイル３に自動再生可と記述されていない画像ファイルのサムネイル画像は、第７図に示すように、その存在すら視聴者には分からない。この場合、他の第三者である視聴者に見せたくない画像ファイルの画像データを表示しないという目的は達成されるが、逆に、画像再生装置を使用する使用者にも、他にどのような画像ファイルが画像ファイル記憶メディア１内にあるかが不明となる。画像ファイル記憶メディア１内に格納された画像ファイルの一覧を全て画像再生装置の使用者が記憶しておればよいが、近年の画像ファイル記憶メディア１に格納可能な画像ファイルの枚数は、画像ファイル記憶メディア１の記憶容量の飛躍的な拡大に伴い、数１００枚以上可能となっており、全ての画像ファイルの画像データの内容を使用者が記憶していないことが考えられる。
そこで、本実施例では、画像ファイル記憶メディア１内に格納された自動再生ファイル３の情報を読みとり、複数の画像ファイル毎に自動再生可否を判断し、自動再生否と記述された画像ファイルのサムネイル画像は、ダミーのサムネイルで表示するようにしたものである。
本実施例における画像再生装置の構成については第２図と同一であるので、図示を省略する。第９図は本実施例の画像再生装置の再生方法を示すフローチャート図である。また、第１１図は実施例におけるサムネイル画像の表示例である。
次にその動作についてフローチャートを用いて説明する。
画像ファイル記憶メディア１が、本画像再生装置に挿入され、入力部９により、サムネイル画像の表示が要求された場合、制御部８は、画像ファイル記憶メディア１のファイル内容を読み出すために読み出し部４に対し制御を行い、画像ファイル記憶メディア１のファイルを読み出す。ここでステップＳ３１〜ステップＳ３４は実施例１のステップＳ１１〜ステップＳ１４と同一である。さてサムネイルの表示要求があると、ステップＳ３２において画像ファイル記憶メディア１内に自動再生ファイル３がある場合、その自動再生ファイル３の内容を制御部８が読みとる。そしてサムネイルが保護されているか、即ち自動再生の対象となっているかどうかを判別する。自動再生の対象となっていなければ、ステップＳ３６に進んで第１０図に示すように画像展開部５を介して記憶素子６に対し、本来ＡＢＣ０００１ファイルのサムネイル画像データが格納される領域にダミーのサムネイル画像データ、例えば全て０データ（すなわち全黒）を書き込む。
本実施例においては、記憶素子６への書き込みについて、画像展開部５を介して行うようにしているが、制御部８から直接記憶素子６へ書き込みをすることも可能である。また、本実施例においては、記憶素子６に対し全て０データ（全黒表示）を書き込むようにしているが、全黒表示に限らず任意の画像データ、例えばメーカのロゴ等を記憶素子６に保持しておき、記憶素子６のサムネイルの領域に書き込むことでも同様の効果を得る。こうすれば表示品位を向上させることが可能となる。又サムネイルが保護されていない場合、即ち自動再生の対象となっている場合には、ステップＳ３７においてサムネイルの画像を読み出して展開する。そしてステップＳ３８においてサムネイルの一覧表を表示し、全画像の処理が終了したかどうかを判別する。終了していなければステップＳ３５に戻って同様の処理を繰り返す。
例えば、画像ファイルとして、ＡＢＣ０００１．ＪＰＧ〜ＡＢＣ００２０．ＪＰＧの２０枚の画像ファイルがＤＣＩＭの最下層にあり、自動再生ファイルとして、ＡＢＣ０００２．ＪＰＧ、ＡＢＣ０００５．ＪＰＧ、ＡＢＣ０００９．ＪＰＧ、ＡＢＣ００１２．ＪＰＧ、ＡＢＣ００１３．ＪＰＧ、ＡＢＣ００１９．ＪＰＧの６枚の画像が指定されているとする。このとき制御部８は、ステップＳ３５において自動再生ファイル３に記述された情報により、ＡＢＣ０００１．ＪＰＧが、自動再生ファイル群に入っていないことを判別する。そこで、第１０図，第１１図に示すようにそのサムネイルの領域を黒画像とする。
次に、ＡＢＣ０００２．ＪＰＧの画像ファイルのサムネイル表示を行うが、このＡＢＣ０００２ファイルは自動再生ファイルに自動再生可と記述されている。制御部８は、ステップＳ３７において、画像ファイルＡＢＣ０００２のサムネイル画像を画像ファイル記憶メディア１から画像展開部５へ読み出すように制御を行う。画像展開部５は、制御部８からの制御により、この例の場合、ＪＰＥＧ圧縮された画像ファイルを画像表示部７上で画像表示できるように伸張して記憶素子６に展開する。記憶素子６に展開された画像データを画像展開部５から読み出し、画像表示部７に転送し、本画像再生装置のディスプレイ上に表示する。以下、ＡＢＣ０００３，ＡＢＣ０００４，・・・と同様な手順で画像表示処理を行う。こうして全てのサムネイル画像の処理を終えるまで、ステップＳ３９からステップＳ３５に戻って同様の処理を行う。こうすれば第１１図に示したサムネイル画像の一覧表をディスプレイ上に表示することができる。
これより、本画像再生装置の使用者は、本画像再生装置にあるサムネイル画像の表示機能を用いて画像ファイル記憶メディア１内に格納された全画像ファイルの一覧表を表示させることができる。この時、画像ファイル記憶メディア１の所有者（通常は本画像再生装置の使用者と同一）が他の第三者である視聴者に表示させたくない画像ファイルのサムネイル画像は全黒などダミーのサムネイル画像で表示されているため、それらの画像データが保護される。通常、サムネイル画像の表示は、画像ファイル記憶メディア１内にある画像ファイルの検索を行う目的で使用されることが多い。従って本実施例のように画像ファイル記憶メディア１内の自動再生ファイル３に自動再生否と記述された画像ファイルのサムネイル画像を任意の画像データで統一した場合、本画像再生装置の使用者が、どの画像ファイルが何の画像データに相当するのか判断し易いように、各画像ファイルに付けるファイル名を工夫しておく必要がある。これより、本画像再生装置の使用者は、その画像ファイル名よりどのような画像ファイルが画像ファイル記憶メディアに格納されているのかを容易に判断でき、該当する画像ファイルの主画像を表示することができる。
次に本実施例の変形例について説明する。画像ファイル記憶メディア１に格納された自動再生ファイル３により自動再生否と記述された画像ファイルについても、サムネイル画像を表示したい場合がある。この場合の動作について第１２図のフローチャートを用いて説明する。ステップＳ３１〜３９の動作については前述したものと同様である。この実施例ではステップＳ３２においてサムネイルの表示要求の後で全画像の表示要求があるかどうかを確認する（ステップＳ４０）。全画像の表示要求がなければ前述したものと同様の動作を行う。全画像の表示要求があればステップＳ４１に進んで画像ファイル記憶メディア１より全画像ファイルのサムネイル画像を取り出す。次いでステップＳ４２においてサムネイルの一覧表を表示する。このとき第８図のステップＳ２７に示すように、サムネイル画像の表示要求が入力部９から本画像再生装置へなされた場合、本画像再生装置から全画像ファイルのサムネイル画像の表示を行うか否かを確認するメニュー画面を表示させ、入力部９から確認の入力をするようにしてもよい。こうすれば自動再生ファイル３に記述された内容に従ってサムネイル画像を表示するか、画像ファイル記憶メディア内にある全ての画像ファイルのサムネイル画像を表示するかを、画像再生装置の使用者が選択することができる。
以上のように、本発明の構成によれば、サムネイル画像表示時においても、制御部８から自動再生ファイル３の情報を読みとることにより、容易に画像ファイル記憶メディア１の所有者が他の第三者である視聴者に表示したくない画像データの表示を防ぐことができる。また自動再生ファイル３に自動再生否と記述された画像ファイルのサムネイル画像をダミーの画像データと置き換えることにより、本画像再生装置の使用者がサムネイルの表示機能を使用して所望の画像ファイルを検索することができる。
（実施例３）
次に、本発明の実施例３について、第１３図〜第１８図を用いて説明する。
実施例２の構成において、自動再生ファイル３に自動再生否と記述された全ての画像ファイルのサムネイル画像は、全黒或いは任意の画像データで統一された状態でディスプレイ上に表示されるため、本画像再生装置の使用者は、どの画像ファイルが何の画像データであるか分かりにくいという課題を有する。デジタルカメラで撮影された画像ファイルの場合、単純に撮影された時刻の順番に従って画像ファイル名が自動的に付けられることが多い。そこで画像ファイルが何の画像データを容易に認識できるようにするため、各本画像再生装置の使用者が画像データの内容を直感的に理解できるように画像ファイルのファイル名を予め設定せねばならない。しかし画像ファイル名の付け方次第では、他の第三者にも前記全黒或いは任意の画像データで表示されたサムネイル画像の内容を推測される可能性がある。
そこで、本実施例においては、自動再生ファイル３に自動再生否と記述された画像ファイルのサムネイル画像を、第三者には容易に認識できないようにして画像再生装置のディスプレイ上に表示できるようにするものである。
第１３図は本実施例における構成を示すブロック図であり、第４図と同一部分は同一符号を付して詳細な説明を省略する。この実施例は画像展開部５Ａに特徴を有するものである。第１３図に示す画像展開部５Ａにおいて、ファイル伸張部１０は画像ファイル記憶メディア１に格納された任意の画像ファイル２を伸張するものであり、記憶素子駆動部１１は記憶素子６に対し画像データの読み書きを行い、データ出力部１２は記憶素子６に書き込まれた画像データを画像表示部７へ出力するものであり、書き込みアドレス発生部１３は記憶素子駆動部１１が記憶素子６へ画像データを書き込む際に必要となる書き込みアドレスを発生するものである。又読み出しアドレス発生部１４は記憶素子駆動部１１が記憶素子６へ格納された画像データを読み出す際に必要となる読み出しアドレスを発生するものである。その他の構成は前述した実施例と同一である。
次にその動作を第１４図のフローチャートを参照しつつ説明する。まず、画像ファイル記憶メディア１が、本画像再生装置に挿入されると、制御部８は、画像ファイル記憶メディア１のファイル内容を読み出すために読み出し部４に対し制御を行い、画像ファイル記憶メディア１のファイル内容を読み出す。ここで、画像ファイル記憶メディア１内に自動再生ファイル３がある場合、その自動再生ファイル３の内容を制御部８が読みとる（ステップＳ５１）。次いでサムネイル画像の表示が要求されたかどうかをチェックする（ステップＳ５２）。サムネイルの要求がなければステップＳ５３，Ｓ５４に進んで自動再生ファイルで指定された主画像を取り出し、主画像を自動再生により表示する。
サムネイルの表示が要求されていればステップＳ５５に進んで所定の順に従ってサムネイル画像を取り出す。そしてステップＳ５６において自動再生ファイルによって主画像が自動再生となっていないか、即ち保護されているかどうかを判別する。自動再生となっていなければステップＳ５７に進んで記憶素子への書込アドレスを順次制御し、保護されている場合にはステップＳ５７に進んで記憶素子への書込アドレスを連続でない所定のルールで制御する。次にステップＳ５９に進んで読出アドレスを順次制御する。こうしてサムネイルの画像を記憶素子６に保持する。次いでステップＳ６０に進んでサムネイルの一覧表を表示し、全画像の表示が終了していなければステップＳ５５に戻り、終了していれば処理を終える（ステップＳ６１）。
例えば、画像ファイルとして、ＡＢＣ０００１．ＪＰＧ〜ＡＢＣ００１０．ＪＰＧの１０枚の画像ファイルがＤＣＩＭの最下層にあり、自動再生ファイル３として、ＡＢＣ０００２．ＪＰＧ、ＡＢＣ０００５．ＪＰＧ、ＡＢＣ０００９．ＪＰＧの３枚の画像が指定されている場合、制御部８から読み出し部４に対し、まず、ＡＢＣ０００１．ＪＰＧのサムネイル画像を画像ファイル記憶メディア１から画像展開部５のファイル伸張部１０へ読み出すように制御する。ファイル伸張部１０は、この例の場合、ＪＰＥＧ圧縮された画像ファイルを画像データとして伸張し記憶素子駆動部１１に出力する。一方、書き込みアドレス発生部１３は、制御部８から自動再生ファイル３の情報に従い当該ファイルＡＢＣ０００１が自動再生否の画像ファイル、即ち保護されている画像ファイルであることが分かるため、所定のルールで制御する。即ち、通常は「００００番地、０００１番地、０００２番地、０００３番地、・・・」と順送りに記憶素子６への書き込みアドレスを発生するところを、書き込みアドレスを入れ替える。一方、読み出しアドレス発生部１４が、記憶素子６に格納された画像データを読み出すアドレスを順次制御し、順送りに記憶素子６に格納された画像データを読み出す。ここでは原画像と大差がなければ、原画像を第三者が容易に想像することが可能となる。そこで、複数のライン或いは画像ブロック毎に画像データを入れ替えることにより、第三者に何の画像データか容易に悟られないようにする。例えば、該サムネイル画像を２０ライン毎に分割する。通常サムネイル画像は１６０画素×１２０ラインで構成されるため、１２０／２０＝６ブロックにサムネイル画像を分割することが可能となる。このように６ブロックに分割された画像データを任意の順序に配置することにより、該サムネイル画像は横方向に６分割され、且つその順序がランダムに配置された画像表示となる。例えば第１５図に示すような人物画像のサムネイルの場合、２０ライン毎の６ブロックを入れ換えると、例えば第１６図に示すものとなる。こうしてサムネイルの一覧表を表示する。
以上の動作説明において、ライン単位にサムネイル画像を分割した例を示したのは、記憶素子６のアドレス管理が行いやすいためであるが、勿論、画像データの縦方向である画素単位で分割しても同様な効果を得る。更に、前記横方向の分割と縦方向の分割を組み合わせても同様な効果を得る。
但しサムネイル画像の分割数を大きくすればするほど、原画像の内容が第三者に分かりにくいという利点があるが、あまりにもサムネイル画像の分割数を大きくすると逆に本画像再生装置の使用者にも何の画像データなのか分かりにくくなるという欠点が生じる。そこで、本画像再生装置の使用者がサムネイル画像の分割数を入力部９より選択できるようにしてもよい。そうすれば一層、本画像再生装置の使用状況に適合したサムネイル画像を表示することができる。一例を挙げると、赤外線リモコンを入力部９として使用し、この赤外線リモコンから発せられた制御データを制御部８が受信し、本画像再生装置のディスプレイ上に任意のＯＳＤでメニュー画面を表示する。本画像再生装置の使用者は、そのＯＳＤメニューの各項目を赤外線マウスで選択することにより、サムネイル画像の分割数を設定することが可能となる。
上述において、サムネイル画像を変形するために記憶素子６への書き込みアドレスを発生する順序を所定のルールで発生させたが、書き込みアドレス発生部１３から発生される書き込みアドレスを順送りに発生させて記憶素子６に画像データを書き込み、読み出しアドレス発生部１４から発生する前記記憶素子６への読み出しアドレスを所定のルールで制御するようにしてもよい。
第１７図はこの場合の動作を示すフローチャートであり、ステップＳ５５でサムネイル画像を取り出した後、ステップＳ６２に進んで記憶素子６へ書込アドレスを順次制御して記憶素子６に書込み、保護されているかどうかによって読出アドレスを所定のルールで発生させるか、順次制御とするかを切換えるようにしてもよい（ステップＳ６３，Ｓ６４）。この場合にも読出アドレスで読出した記憶素子のデータをサムネイル一覧表に表示し（ステップＳ６０）、全画像の終了が終えたかどうかを判断して処理を繰り返す。
また第１８図に示すように保護されていなければ書込アドレスと読出アドレスとを同時に順序通り発生させ（ステップＳ６５，Ｓ６６）、保護されていれば所定のルールで切換えるようにしてもよい。即ち書き込みアドレス発生部１３から発生される書き込みアドレスと読み出しアドレス発生部１４から発生される読み出しアドレスを共に所定のルールで変化させても（ステップＳ６７，Ｓ６８）、前述と同様な効果を得る。但し、この場合は、読み出しアドレス発生の方法と書き込みアドレス発生の方法が全く同一では、通常画像表示となるため、双方で異なる規則性に則ったアドレス発生方法にする必要がある。
又所定のルールでの書き換えとして、ローパスフィルタで画像をぼかすようにしたり、ボザイク画像に変換してもよい。更に画像の一部のみを切り取って拡大表示させたり、画像データの上位ビットと下位ビットとを入れ換えてもよい。この場合には８ビットのデータＲ０〜Ｒ７の画像データの場合に、Ｒ０（ＬＢＳ）をＲ７（ＭＢＳ）に置き換えたり、Ｒ１をＲ６に、Ｒ２をＲ５に置き換えるような入れ換えを行う。このように画像データを所定のルールで変換して一見して認識しにくいが、画像データの作成者であればその内容を把握できることとなる。
以上のように、本発明の構成によれば、サムネイル画像表示時においても、制御部８から自動再生ファイル３の情報を読みとることにより、画像ファイル記憶メディア１の所有者が他の視聴者に表示したくない画像データの表示を防ぐことが容易に可能となる。サムネイル表示時においても、自動再生ファイル３の記述により自動再生否とされた画像ファイルのサムネイル画像も本画像再生装置の使用者以外には一見して何の画像であるか特定できず、本画像再生装置の使用者のみ何の画像であるか特定することができる。従って不特定多数の視聴者がいるようなプロジェクタのような大画面ディスプレイを使用した場合においても、本画像再生装置の使用者がサムネイル画像の一覧表機能を用いて、第三者に公表したくない画像ファイルの画像データを保護しつつ画像ファイルを検索することが可能となる。
（実施例４）
次に、本発明の実施例４について、第１９図を用いて説明する。
通常のデジタルカメラで撮像された画像ファイルには、第３図に示すように主画像と共にサムネイル画像も同時に同一画像ファイル内に格納されている。しかしながら、パーソナルコンピュータで使用される画像ファイル作成ソフトの中には、主画像は作成するが、サムネイル画像までは作成しないものがある。このような画像ファイルを含む画像ファイル記憶メディアを使用する場合、実施例２，３の構成において、画像ファイル記憶メディア１内にある自動再生ファイル３で自動再生可と記述された画像ファイルのサムネイル表示を行う時、サムネイル画像があれば問題なくサムネイル画像の表示が行える。しかしサムネイル画像のない画像ファイルについては、サムネイル画像が表示できない。従ってサムネイル表示を行うべき領域に全黒となる画像データを表示した場合、使用者にも自動再生ファイル３に自動再生否と記述された画像ファイルとの区別ができないという課題を生じる。
またサムネイル画像がないとき主画像からサムネイル画像の標準画素サイズである１６０×１２０画素にリサイズして表示することも考えられる。こうすればサムネイル画像は表示できるが、リサイズから画像表示までに至る時間が長く、例えば３０秒程度かかる場合がある。そのため画像再生装置の使用者からすると、機器が故障或いはハングアップしたと勘違いする原因になる。また、プロジェクタのようなプレゼンテーションを目的とした大型映像装置を本画像再生装置のディスプレイとして使用した場合、上述のような手法でサムネイル表示を行うと、表示を行っている数十秒の期間、多くの視聴者を待たせてしまうという課題を生じる。
そこで、本実施例では、画像ファイルのサムネイル画像の有無を判断し、サムネイル画像がない画像ファイルのサムネイル表示を要求された場合、自動再生ファイル３に自動再生否と記述された画像ファイルの表示方法を異ならせることにより、上記課題を解決するものである。
本実施例における画像再生装置の構成は第２図と同一であるので、説明を省略し、その動作を第１９図のフローチャートに基づいて説明する。
まず、画像ファイル記憶メディア１が、本画像再生装置に挿入されると、制御部８は、画像ファイル記憶メディア１のファイル内容を読み出すために読み出し部４に対し制御を行い、画像ファイル記憶メディア１のファイル内容を読み出す。ここで、画像ファイル記憶メディア１内に自動再生ファイル３がある場合、その自動再生ファイル３の内容を制御部８が読みとる（ステップＳ７１）。次いでサムネイル画像の表示が要求されたかどうかをチェックする（ステップＳ７２）。サムネイルの要求がなければステップＳ７３，Ｓ７４に進んで自動再生ファイルで指定された主画像を取り出し、主画像を自動再生により表示する。
サムネイルの表示が要求されていればステップＳ７５に進んで所定の順に従ってサムネイル画像を取り出す。そしてステップＳ７５において自動再生ファイルによって主画像が自動再生となっていないか、即ち保護されているかどうかを判別する。保護されている場合には、ステップＳ７６において第１のダミー表示、例えば全てサムネイル領域に黒表示を行う。そしてステップＳ７７に進んでサムネイルの一覧表を表示し、全画面が終了しているかどうかを判別する（ステップＳ８１）。全画面が終了していなければステップＳ７５に戻って同様の処理を繰り返し、サムネイルが全て終了するまで繰り返す。ステップＳ７５において保護されていなければステップＳ７８に進んでサムネイル画像があるかどうかを判別し、サムネイル画像があればステップＳ７９においてそのサムネイル画像を取り出す。またステップＳ７８においてサムネイル画像がなければ第２のダミー表示を行う。第２のダミー画像は前述したステップＳ７６とは異なるダミー画像とし、例えば一定のロゴを表示してもよい。これらのデータは記憶素子６に保持されているものとする。
例えば、画像ファイルとして、ＡＢＣ０００１．ＪＰＧ〜ＡＢＣ００１０．ＪＰＧの１０枚の画像ファイルがＤＣＩＭの最下層にあり、自動再生ファイル３として、ＡＢＣ０００２．ＪＰＧ、ＡＢＣ０００５．ＪＰＧ、ＡＢＣ０００９．ＪＰＧの３枚の画像が指定され、尚かつＡＢＣ０００５ファイルにはサムネイル画像が格納されていないものとする。この場合、制御部８は、自動再生ファイル３に記述された情報により、ＡＢＣ０００１．ＪＰＧが自動再生ファイル群に入っていないことが分かる。そこで、第１０図に示すように画像展開部５を介して記憶素子６に対し、本来ＡＢＣ０００１ファイルのサムネイル画像データが格納される領域に第１のダミー画像、例えば全て０データ（すなわち全黒）を書き込む。
次に、ＡＢＣ０００２．ＪＰＧのサムネイル画像の表示を行うが、制御部８は、読み出し部４を介してＡＢＣ０００２ファイルが自動再生ファイル群に入っていることが分かるため、画像ファイルＡＢＣ０００２から該サムネイル画像を検出し画像ファイル記憶メディア１から画像展開部５へ読み出すように制御を行う。画像展開部５は、制御部８からの制御により、ＪＰＥＧ圧縮された画像ファイルを画像表示部７上で画像表示できるように伸張し記憶素子６に展開する。記憶素子６に展開された画像データは、画像展開部５から読み出され、制御部８により制御される画像表示部７に転送され、任意のディスプレイ上に表示される。以下、ＡＢＣ０００３，ＡＢＣ０００４については自動再生ファイル３に記述された内容より自動再生否となっているため、前述のＡＢＣ０００１ファイルと同様の手順で画像表示処理を行う。
次に、画像ファイルＡＢＣ０００５の表示を行うが、上記ＡＢＣ０００５ファイルが自動再生ファイル可となっているため、制御部８は、画像ファイルＡＢＣ０００５から該サムネイル画像の検出し画像ファイル記憶メディア１から画像展開部５へ読み出すように制御を行おうとする。しかしながら、サムネイル画像が格納されていないため、例えば、第１９図に示すように画像展開部５を介して記憶素子６に対し、本来ＡＢＣ０００５ファイルのサムネイル画像データが格納される領域に第２のダミー画像であるユーザロゴ画像データを書き込む。ここで、サムネイル画像の有無はサムネイルブロックのＪＰＥＧヘッダ部分の検索等で容易に判定可能である。
尚、自動再生ファイル３に自動再生否と記述された画像ファイルについては、該サムネイル画像の表示をする必要がないため、サムネイル画像の有無に関わりなく第１のダミー画像、例えば全黒表示となる。これより、本画像再生装置の使用者は自動再生否と自動再生ファイル３に記述された画像ファイルのサムネイル画像表示は全黒表示で行い、自動再生可と記述されているがサムネイル画像が格納されていない画像ファイルの表示はユーザロゴで行うことより、容易に両者の区別がつく。
以上のように、本実施例の構成によれば、画像ファイル記憶メディア１内の自動再生ファイル３に自動再生否と記述された画像ファイルのサムネイル画像を第１のダミーの画像を表示し、自動再生可と記述されてもサムネイル画像がなければ第２のダミー画像を表示することにより、本画像再生装置の使用者がサムネイル表示機能を使用して所望の画像ファイルを検索することが可能となる。
（実施例５）
次に、本発明の実施例５について、第２０図を用いて説明する。
実施例４の構成において、サムネイル画像が格納されていない画像ファイルのサムネイル表示が要求された場合においても、容易に自動再生ファイル３に自動再生否と記述された画像ファイルのサムネイル画像表示との区別ができるが、サムネイル画像が格納されていないために、自動再生ファイル３において自動再生可と記述されていた画像ファイルにもかかわらずサムネイル表示が行えないという課題を有していた。
そこで、本実施例において、サムネイル画像の一覧表を表示した後に当該サムネイル画像が格納されていない画像ファイルの主画像を読み込み、この主画像をサムネイル画像表示サイズにリサイズし、サムネイル一覧表の表示時には第２のダミー画像であった表示を該サムネイル画像と置き換えることにより、上記課題を解決する。第２０図は本実施例における画像再生装置の動作を示すフローチャートである。尚、前述した実施例と同じ構成については同一の符号を用い、説明を省略する。
まず、画像ファイル記憶メディア１が、本画像再生装置に挿入された後のステップＳ７１〜８２までの動作は実施例４と同様であり、詳細な説明を詳細する。そして全画像の表示を終了すると、ステップＳ８２に進んで第２のダミー表示、この場合ロゴ表示がなされた画像の主画像を画像ファイル記憶メディア１から読み取る。次いでステップＳ８３に進んでこの画像をサムネイル画像のサイズに圧縮し、ロゴ画像と置き換える（ステップＳ８３）。この処理は各ロゴ表示画像毎に順次行うものとする。
例えば、実施例４の場合と同様に、画像ファイルとして、ＡＢＣ０００１．ＪＰＧ〜ＡＢＣ００１０．ＪＰＧの１０枚の画像ファイルがＤＣＩＭの最下層にあり、自動再生ファイル３として、ＡＢＣ０００２．ＪＰＧ、ＡＢＣ０００５．ＪＰＧ、ＡＢＣ０００９．ＪＰＧの３枚の画像が指定され、尚かつＡＢＣ０００５ファイルにはサムネイル画像が格納されていないものとする。この場合ステップＳ７１〜８１までの動作は前述の場合と同様である。即ち制御部８は、自動再生ファイル３に記述された情報により、ＡＢＣ０００１．ＪＰＧが自動再生ファイル群に入っていないことが分かる。そこで、第１０図に示すように画像展開部５を介して記憶素子６に対し、本来ＡＢＣ０００１ファイルのサムネイル画像データが格納される領域に全て０データ（すなわち全黒）を書き込む。次に、ＡＢＣ０００２．ＪＰＧの画像ファイル表示を行うが、制御部８は、上記ＡＢＣ０００２ファイルが自動再生ファイル群に入っていることが分かるため、対応したサムネイル画像を画像ファイルＡＢＣ０００２から検索し画像ファイル記憶メディア１から画像展開部５へ読み出すように制御する。画像展開部５は、制御部８からの制御により、ＪＰＥＧ圧縮された画像ファイルを画像表示部７上で画像表示できるように伸張し記憶素子６に展開する。記憶素子６に展開された画像データは、画像展開部５から読み出され、制御部８により制御される画像表示部７に転送され、任意のディスプレイ上に表示される。以下、ＡＢＣ０００３，ＡＢＣ０００４については自動再生ファイル３に記述された内容より自動再生否となっているため、前述のＡＢＣ０００１ファイルと同様の手順で画像表示処理を行う。次に、ＡＢＣ０００５．ＪＰＧの画像ファイル表示を行うが、制御部８は、読み出し部４を介して上記ＡＢＣ０００５ファイルが自動再生ファイル群に入っていることが分かるため、画像展開部５を介して記憶素子６に対し、本来ＡＢＣ０００５ファイルのサムネイル画像データが格納される領域にユーザロゴ画像データを書き込む。このようにして、一旦サムネイル画像の一覧表を全て表示する。
次にステップＳ８２において制御部８は、再度サムネイル画像が無いためにサムネイル画像がユーザロゴ表示となっているＡＢＣ０００５ファイルの主画像データを読み出し部４を介して読み出し、サムネイル画像サイズにリサイズする。このリサイズされた主画像を現在ユーザロゴ表示となっているサムネイル表示画像と置換する。これより、サムネイル画像が格納されていない画像ファイルにおいて、自動再生ファイルで自動再生可と記述されたサムネイル画像が表示できる。この場合、画像ファイルから主画像を読み出しリサイズしてサムネイル画像を得るため、画像データのリサイズ時間を短縮することはできない。しかしながら、本実施例の構成を用いると、一旦、サムネイル画像の有無にかかわらず、全てのサムネイル画像を何らかの手法で表示するため、視聴者は本画像再生装置のサムネイル表示動作が途中で止まったと勘違いをすることがなくなるという効果を有する。
通常、サムネイル画像の一覧表に表示される画像ファイル数は画像再生装置に使用されるディスプレイの解像度により異なるが、数枚〜２０枚程度である。一方、画像ファイル記憶メディアの大容量化が進んでいることより、一つの画像ファイル記憶メディアに格納される画像ファイル数は、数十枚〜数百枚格納されていることも珍しくない。このような場合、サムネイル画像表示は、一度に全ての画像ファイルを一つの画面上に表示することはできず、例えば、画像再生装置側で１６枚ずつ表示を行うという方法をとっている。この時、上述のようにサムネイル画像が格納されていない画像ファイルのサムネイル表示を主画像からのリサイズにより行う場合、一枚目のサムネイル画像一覧表（ＡＢＣ０００１〜ＡＢＣ００１６）から二枚目のサムネイル画像一覧表（ＡＢＣ００１７〜ＡＢＣ００３２）へ画像を切り替える際、サムネイル画像を有していない画像ファイルの主画像からサムネイル画像を得る作業が生じる。そのため二枚目のサムネイル画像一覧表が表示されるまで時間が非常にかかるという課題を生じる。通常、サムネイル画像一覧表を表示させる目的は画像ファイル記憶メディア１内に格納された画像ファイルの検索目的が多いため、サムネイル画像一覧表の切り替えを素早くしたいという要求が強い。そこで、一枚目のサムネイル画像一覧表から二枚目のサムネイル画像一覧表へ画像を切り替える要求が入力部９より制御部８へ入力された場合、画像展開部５で主画像からのリサイズを行っている処理を中断し、二枚目のサムネイル画像の一番初めの画像ファイル（上述の例ではＡＢＣ００１７ファイル）を表示することが好ましい。こうすればサムネイル画像一覧表の切り替えを素早くすることができる。
以上のように、本発明の構成によれば、画像ファイル記憶メディア１内にある自動再生ファイル３に自動再生可と記述されているが、サムネイル画像データが格納されていない画像ファイルを、まず第２のダミー画像として表示する。次にサムネイル画像の一覧表が全て表示された後に、該第２のダミー画像を主画像からリサイズして表示することにより、最終的には自動再生ファイル３に自動再生可と記述された画像ファイルのサムネイルを全て表示することができる。
（実施例６）
次に、本発明の実施例６について、第２１図から第２３図を用いて説明する。
実施例２〜５の構成において、自動再生ファイル３に自動再生否と記述された画像ファイルのサムネイル画像は、第１のダミー画像でディスプレイ上に表示される。これより、プロジェクタのような大画面で画像表示可能なディスプレイを使用した画像再生装置においても、本画像再生装置の使用者は、不特定多数の第三者に対し画像表示させたくない画像データについては、画像表示を行わないことができる。しかしながら、上述のような構成において、サムネイル画像の一覧表を表示して、何らかの都合により、ダミー表示されている画像を表示させたい場合がある。このとき、実施例２〜５においては、画像ファイル記憶メディア１内に所望の画像ファイルの有無、更にはその画像ファイル名の確認を本画像再生装置上で行い、主画像として表示することはできる。しかしその場で該画像ファイルのサムネイル画像を表示することはできない。サムネイル画像を表示するためには、自動再生ファイル３を更新する方法がある。この場合、その更新履歴を画像ファイル記憶メディア１の使用者が把握しておかないと、別の機会に前回更新されたままの画像ファイル記憶メディア１を使用してサムネイル画像を表示した場合、該サムネイル画像も他の自動再生可と記述された画像ファイルと同様に本画像再生装置を視聴する第三者に表示されるという課題も生じる。
そこで、本実施例において、自動再生ファイル３に自動再生否と記述された画像についてのダミーのサムネイルの画像を、個別にサムネイル画像に変更できればこの課題が解決できる。
第２１図は本実施例における画像再生装置の構成を示すブロック図である。前述した実施例と同じ構成については同一の符号を用い、説明を省略する。第２１図において、ＯＳＤ発生部２１は制御部８により制御され、任意のＯＳＤ画像を画像再生装置上に表示するものである。画像重畳部２２はＯＳＤ発生部２１の出力及び画像展開部５の出力を各々入力とし、双方の画像データを重畳した後に画像表示部７にその重畳された画像データを出力するものである。以下、本実施例における画像再生装置の動作についてフローチャートを用いて説明する。
まず、実施例２に示すように、自動再生ファイル３に記述された内容にもとづき、サムネイル画像の表示要求が有る場合、第２３図に示すようなサムネイル画像一覧表をディスプレイ上に表示させる。ここで、入力部９より自動再生ファイル３において自動再生否と記述され全黒表示となっている画像ファイルのサムネイル画像を通常のサムネイル画像に変更する要求があったとする。そうすれば制御部８はＯＳＤ発生部２１に対し、第２３図に示すような画像選択用カーソルＫを発生させるように制御し、画像重畳部２２にて元のサムネイル画像一覧表上に前記画像選択用カーソルを重ね合わせる（ステップＳ９１）。画像選択用カーソルは、入力部９からの入力情報にもとづき、サムネイル画像単位で上下左右方向に移動させる（ステップＳ９２）。例えば、第２３図に示すように、画像ファイルＡＢＣ０００４のサムネイル表示を全黒から通常のサムネイル画像に変更する場合、まず、画像選択用カーソルをＡＢＣ０００４のサムネイル画像（この場合は全黒の表示）の領域まで移動させ、入力部９より保護解除の要求があるかどうかを判別する（ステップＳ９３）。
本実施例のように、画像ファイル記憶メディア１の使用者が他の第三者に対し表示を行いたくない画像ファイルのサムネイル画像を全黒で表示させる場合、セキュリティを高める必要がある場合がある。従って決定コマンドを制御部８が受信した場合、再度確認を行うことが一層望ましい。このように、制御部８は、入力部９より、全黒表示されているＡＢＣ０００４のサムネイル画像の表示を、通常のサムネイル画像表示へ変更する要求を受信する（ステップＳ９３）。そうすればステップＳ９４に進んで読み出し部４を介して画像ファイル記憶メディア１内の画像ファイル群からＡＢＣ０００４のサムネイル画像データを画像展開部５へ転送する。画像展開部５は、所望のフォーマットに則ってサムネイル画像データを記憶部６のＡＢＣ０００４のサムネイル画像データが書き込まれている領域に上書きを行う。その後、記憶素子６に書き込まれた画像データは、画像重畳部２２を介して画像表示部７へ転送される。こうすればディスプレイ上に第２４図に示すようなＡＢＣ０００４のサムネイル画像が通常画像に置換された映像が表示される。ここで、画像重畳部２２は、通常乗算器で構成され、この場合、画像展開部５から入力されるデータに１を乗算し、ＯＳＤ発生部２１から入力されるデータに０を乗算することで、画像展開部５から出力される画像データにＯＳＤ画像を重畳することなく、スルー表示させることが可能となる。
以上本実施例の構成により、画像ファイル記憶メディア１内の自動再生ファイル３を一切更新することなく、本画像再生装置上で、全黒或いは任意の画像表示で保護されていた画像ファイルのサムネイル表示を、通常のサムネイル画像に置き換えることができる。
産業上の利用の可能性
以上のように、本発明の画像再生装置及び方法によれば、画像ファイル記憶メディア内にある自動再生ファイルの記述内容を読みとることにより、サムネイル画像表示時も、自動再生ファイル内に自動再生可と記述された画像ファイル以外のサムネイル画像を全く表示しないことができる。
また、画像ファイル記憶メディア内に格納された自動再生ファイルの情報を読みとり、自動再生否と記述された画像ファイルのサムネイル画像は、ダミー画像で表示させることにより、画像ファイルの存在を認識させ、画像ファイル記憶メディア内にある全画像ファイルの中から所望の画像ファイルを検出することができる。
また、自動再生ファイル３に自動再生否と記述された画像ファイルのサムネイル画像のサムネイル表示時において、サムネイル画像表示をそのまま行わず、一見、第三者に分からないような画像に変更した状態でサムネイル画像を表示させることで、所望の画像ファイルを検索することができる。
また、画像ファイルのサムネイル画像の有無を判断し、サムネイル画像がない画像ファイルについては第２のダミー画像をサムネイル画像として使用することにより、本画像再生装置の使用者は容易に両者の区別をつけることができる。更に、第２のサムネイル画像の一覧表を表示した後に、第２のダミー画像をサムネイル画像サイズに主画像を縮小した画像と置き換えることにより、最終的には自動再生ファイルから自動再生可と記述された画像ファイルのサムネイル表示を全て行わせることができる。
また、本画像再生装置上で、ダミーの画像表示で保護されていたサムネイル表示を個別に選択して容易に通常のサムネイル画像に置き換えることが行える。
【図面の簡単な説明】
第１図は従来の画像再生装置の動作を示すフローチャートである。
第２図は画像ファイル記憶メディア内に格納される画像ファイル構造の一例を示す図である。
第３図は画像ファイルの構造の一例を示す図である。
第４図は本発明の実施例１における画像再生装置の構成を示すブロック図である。
第５図は本発明の実施例１における画像再生装置の動作を示すフローチャートである。
第６図は実施例１における画像再生装置の記憶素子６に展開されるサムネイル画像を示す図である。
第７図は実施例１における画像再生装置の表示例を示す図である。
第８図は本発明の実施例１の変形例における画像再生装置の動作を示すフローチャートである。
第９図は本発明の実施例２における画像再生装置の動作を示すフローチャートである。
第１０図は実施例２における画像再生装置の記憶素子６の画像展開例を示す図である
第１１図は本発明の実施例２における画像再生装置の表示例を示す図である。
第１２図は本発明の実施例２における変形例の動作を示すフローチャートである。
第１３図は本発明の実施例３における画像再生装置の構成を示すブロック図である。
第１４図は実施例３における画像再生装置の動作を示すフローチャートである。
第１５図は実施例３におけるサムネイル画像の通常表示を示す図である。
第１６図はサムネイル画像を所定のルールで変形した画像を示す図である。
第１７図は実施例３における動作の他の例を示すフローチャートである。
第１８図は実施例３における動作の更に他の例を示すフローチャートである。
第１９図は本発明の実施例４における画像再生装置の動作を示すフローチャートである。
第２０図は本発明の実施例５における画像再生装置の動作を示すフローチャートである。
第２１図は本発明の実施例６における画像再生装置の構成を示すブロック図である。
第２２図は本発明の実施例６における画像再生装置の動作を示すフローチャートである。
第２３図は本発明の実施例６における保護解除設定前の画像を示す図である。
第２４図は本発明の実施例６における保護解除設定後の画像を示す図である。
【図１】
2003084223.tif 000003
【図２】
2003084223.tif 000004
【図３】
2003084223.tif 000005
【図４】
2003084223.tif 000006
【図５】
2003084223.tif 000007
【図６】
2003084223.tif 000008
【図７】
2003084223.tif 000009
【図８】
2003084223.tif 000010
【図９】
2003084223.tif 000011
【図１０】
2003084223.tif 000012
【図１１】
2003084223.tif 000013
【図１２】
2003084223.tif 000014
【図１３】
2003084223.tif 000015
【図１４】
2003084223.tif 000016
【図１５】
2003084223.tif 000017
【図１６】
2003084223.tif 000018
【図１７】
2003084223.tif 000019
【図１８】
2003084223.tif 000020
【図１９】
2003084223.tif 000021
【図２０】
2003084223.tif 000022
【図２１】
2003084223.tif 000023
【図２２】
2003084223.tif 000024
【図２３】
2003084223.tif 000025
【図２４】
2003084223.tif 000026
【手続補正書】
【提出日】平成16年2月16日(2004.2.16)
【手続補正１】
【補正対象書類名】特許請求の範囲
【補正対象項目名】全文
【補正方法】変更
【補正の内容】
【特許請求の範囲】
【請求項１】
主画像情報及びサムネイル画像情報を任意のフォーマットで格納した複数の画像ファイル、及び前記複数の画像ファイルについて少なくとも自動再生の可否、再生の順序を記述した自動再生ファイルを格納した画像ファイル記憶メディアの画像を表示する画像再生装置であって、
前記画像ファイル記憶メディアに格納された各ファイル情報を読み出す読み出し部と，
前記読み出し部によって読出された自動再生ファイルに基づき、自動再生可と記述された画像ファイルのサムネイル画像を前記画像ファイル記憶メディアから読み出すように制御する制御部と、
前記読み出し部によって読み出された画像ファイルを展開する画像展開部と、
前記画像展開部により展開された画像データを書込む記憶素子と、
前記記憶素子に書込まれたサムネイル画像を読出して一覧表示する画像表示部と、を具備する画像再生装置。
【請求項２】
前記読み出し部によって読み出された前記自動再生ファイルで自動再生可と記述された画像ファイルのサムネイル画像のみを表示するか、前記自動再生ファイルの自動再生情報にかかわらず前記画像ファイル記憶メディアに格納された全画像ファイルのサムネイル画像を表示するかを選択する入力部を更に有し、
前記制御部は、前記入力部によって選択されたサムネイル画像を前記画像ファイル記憶メディアから読み出すように制御することを特徴とする請求項１記載の画像再生装置。
【請求項３】
前記記憶素子は、サムネイル画像に相当するダミーの画像データを保持するものであり、
前記制御部は、前記読み出し部によって読み出された前記自動再生ファイルにおいて、自動再生否と記述された画像ファイルについてサムネイル画像に代えてダミーの画像を前記記憶素子より読み出すように制御することを特徴とする請求項１記載の画像再生装置。
【請求項４】
前記サムネイル画像の表示をダミー画像で表示するか、サムネイル画像として表示するかを選択する入力部を更に有し、
前記制御部は、前記入力部でサムネイル画像が選択されたときにサムネイル画像を前記画像ファイル記憶メディアから読み出し、前記入力部でダミー画像が選択されたときに前記記憶素子よりダミー画像を読み出すように制御することを特徴とする請求項３記載の画像再生装置。
【請求項５】
前記制御部は、全ての画像ファイルのサムネイル画像を前記画像ファイル記憶メディアから読み出し、
前記画像展開部は、
前記読み出し部によって読み出された自動再生ファイルにおいて自動再生可と記述された画像ファイルのサムネイル画像を正常な画像として展開すると共に、自動再生否と記述された画像ファイルのサムネイル画像を展開する際に、認識の困難な画像として展開することを特徴とする請求項１記載の画像再生装置。
【請求項６】
前記画像展開部は、
前記画像ファイル記憶メディアに格納された画像ファイル情報を入力として画像ファイルを伸張するファイル伸張部と、
前記記憶素子への書き込みアドレスを発生する書き込みアドレス発生部と、
前記記憶素子への読み出しアドレスを発生する読み出しアドレス発生部と、
を具備するものであり、
前記自動再生ファイルの情報により自動再生否と記述された画像ファイルのサムネイル画像を展開する際に、前記書き込みアドレス発生部により前記記憶素子への書き込みアドレスを不連続の所定の規則性に則って発生させることを特徴とする請求項５記載の画像再生装置。
【請求項７】
前記画像展開部は、
前記画像ファイル記憶メディアに格納された画像ファイル情報を入力として画像ファイルを伸張するファイル伸張部と、
前記記憶素子への書き込みアドレスを発生する書き込みアドレス発生部と、
前記記憶素子への読み出しアドレスを発生する読み出しアドレス発生部と、
を具備するものであり、
前記自動再生ファイルの情報により自動再生否と記述された画像ファイルのサムネイル画像を展開する際に、前記読み出しアドレス発生部により前記記憶素子への読み出しアドレスを不連続の一定の規則性に則って発生させる請求項５記載の画像再生装置。
【請求項８】
前記画像展開部は、
前記画像ファイル記憶メディアに格納された画像ファイル情報を入力として画像ファイルを伸張するファイル伸張部と、
前記記憶素子への書き込みアドレスを発生する書き込みアドレス発生部と、
前記記憶素子への読み出しアドレスを発生する読み出しアドレス発生部と、
を具備するものであり、
前記自動再生ファイルの情報により自動再生否と記述された画像ファイルのサムネイル画像を展開する際に、前記書き込みアドレス発生部により前記記憶素子への書き込みアドレスを不連続の一定の規則性に則って発生させると共に、前記読み出しアドレス発生部によりその読み出しアドレスを不連続の一定の規則性に則って発生させる請求項５記載の画像再生装置。
【請求項９】
前記記憶素子は、前記ダミー画像として第１及び第２の相異なるダミー画像データを保持するものであり、
前記制御部は、自動再生ファイルにおいて自動再生否と記述された画像ファイルはそのサムネイル画像に代えて第１のダミー画像を前記記憶素子より読み出すように制御すると共に、前記自動再生ファイル情報に自動再生可と記述された画像ファイルのサムネイル画像のサムネイル画像を前記画像ファイル記憶メディアから読み出す際に前記サムネイル画像が前記画像ファイル内に格納されていない場合、前記第２のダミー画像を前記記憶素子より読み出すように制御することを特徴とする請求項３記載の画像再生装置。
【請求項１０】
前記制御部は、全てのサムネイル画像が任意の画面上に出力された後に再度前記サムネイル画像が格納されていない画像ファイルの主画像を読み出し、前記主画像をサムネイル画像サイズに前記主画像のサイズを縮小した後、前記第２のダミーの画像で表示されている画像を前記縮小されたサムネイル画像に置き換えるように制御することを特徴とする請求項９記載の画像再生装置。
【請求項１１】
前記認識の困難な画像として表示されたサムネイル画像に対し、その表示を解除するか否かを選択する入力部を更に有し、
前記制御部は、前記入力部によって認識の困難な画像として展開された画像表示が解除されたときに、その画像に対応するサムネイル画像を前記画像ファイルより読み出すように制御することを特徴とする請求項５記載の画像再生装置。
【請求項１２】
前記ダミーの画像で表示したサムネイル画像に対し、前記ダミーの画像の表示を解除するか否かを選択する入力部を更に有し、
前記制御部は、前記入力部によって前記ダミーの画像での表示が解除されたときに、その画像に対応するサムネイル画像を前記画像ファイルより読み出すように制御することを特徴とする請求項３記載の画像再生装置。
【請求項１３】
（削除）
【請求項１４】
主画像情報及びサムネイル画像情報を任意のフォーマットで格納した複数の画像ファイル、及び前記複数の画像ファイルについて少なくとも自動再生の可否や再生順序を含む制御情報を記述した自動再生ファイルを格納した画像ファイル記憶メディアのサムネイル画像を表示する画像再生方法であって、
前記画像ファイル記憶メディア内に格納された前記自動再生ファイル情報を読み出し、
前記自動再生ファイルに自動再生可と記述された画像ファイルのサムネイル画像情報を前記画像ファイル記憶メディアから読み出し、
前記読出したサムネイル画像を一覧表示することを特徴とする画像再生方法。
【請求項１５】
前記画像ファイル記憶メディア内に格納された前記自動再生ファイル情報を読み出した後、
前記自動再生ファイルで自動再生可と記述された画像ファイルにサムネイル画像のみを表示するか、前記自動再生ファイル情報にかかわらず前記画像ファイル記憶メディア内に格納された全画像ファイルのサムネイル画像を表示するかの選択入力を待ち受け、
前記画像ファイル記憶メディアから選択されたサムネイル画像を読み出すことを特徴とする請求項１４記載の画像再生方法。
【請求項１６】
前記自動再生ファイルにおいて自動再生否と記述された画像ファイルについて、サムネイル画像に代えてダミーの画像で表示することを特徴とする請求項１４記載の画像再生方法。
【請求項１７】
前記サムネイル画像の表示をダミーの画像で表示を行わせるかサムネイル画像として表示するかの選択入力を待ち受け、
選択されたサムネイル画像を表示することを特徴とする請求項１６記載の画像再生方法。
【請求項１８】
前記画像ファイル記憶メディアから全画像のサムネイル画像を読み出し、
前記自動再生ファイルにおいて自動再生可と記述された画像ファイルのサムネイル画像は、そのままサムネイル画像として表示し、
前記自動再生ファイルにおいて自動再生否と記述された画像ファイルのサムネイル画像は、そのサムネイル画像を表示する際に認識の困難な画像として展開して表示することを特徴とする請求項１４記載の画像再生方法。
【請求項１９】
前記画像展開するステップは、
前記画像ファイル記憶メディアに格納された前記画像ファイル情報を入力としてファイルを伸張し、
前記画像ファイル記憶メディアに格納された前記自動再生ファイルの情報により自動再生否と記述された画像ファイルのサムネイル画像を表示する際に、伸張された画像データを書き込む記憶素子に対して不連続の所定の規則性に則って書き込みアドレスを発生し、
前記記憶素子に書き込まれた画像データを読み出す際にその読み出しアドレスを順次発生することを特徴とする請求項１８記載の画像再生方法。
【請求項２０】
前記画像を展開するステップは、
前記画像ファイル記憶メディアに格納された前記画像ファイル情報を入力としてファイルを伸張し、
前記記憶素子への書き込みアドレスを順次発生し、
前記画像ファイル記憶メディアに格納された前記自動再生ファイルの情報により自動再生否と記述された画像ファイルのサムネイル画像を表示する際に、前記記憶素子に書き込まれた画像データを読み出す読み出しアドレスを不連続の一定の規則性に則って発生することを特徴とする請求項１８記載の画像再生方法。
【請求項２１】
前記画像を展開するステップは、
前記画像ファイル記憶メディアに格納された前記画像ファイル情報を入力としてファイルを伸張し、
前記画像ファイル記憶メディアに格納された前記自動再生ファイルの情報により自動再生否と記述された画像ファイルのサムネイル画像を表示する際に、伸張された画像データを書き込む記憶素子に対して不連続の一定の規則性に則って書き込みアドレスを発生し、
前記記憶素子に書き込まれた画像データを読み出す読み出しアドレスを不連続の一定の規則性に則って発生することを特徴とする請求項１８記載の画像再生方法。
【請求項２２】
前記ダミー画像として第１及び第２の相異なるダミー画像データを保持し、
前記自動再生ファイルにおいて自動再生否と記述された画像ファイルのサムネイル画像は、第１のダミーの画像で表示し、
前記自動再生ファイル情報に自動再生可と記述された画像ファイルのサムネイル画像を前記画像ファイル記憶メディアから読み出す際に前記サムネイル画像が前記画像ファイル内に格納されていない場合、前記第２のダミーの画像で表示を行わせることを特徴とする請求項１６記載の画像再生方法。
【請求項２３】
全てのサムネイル画像が任意の画面上に出力された後に再度前記サムネイル画像が格納されていない画像ファイルの主画像を読み出し、
サムネイル画像サイズに前記主画像のサイズを縮小した後、前記第２のダミーの画像で表示されている画像を前記縮小されたサムネイル画像に置き換えることを特徴とする請求項２２記載の画像再生方法。
【請求項２４】
前記認識の困難な画像として表示されたサムネイル画像に対し、その表示を解除するか否かを選択する入力を待ち受け、
認識の困難な画像としての表示が解除されたときに、その画像に対応するサムネイル画像を前記画像ファイルに本来格納されているサムネイル画像に置き換えることを特徴とする請求項１８記載の画像再生方法。
【請求項２５】
前記ダミーの画像で表示されたサムネイル画像に対し、前記ダミーの表示を解除するか否かを選択する入力を待ち受け、
ダミーの画像での表示が解除されたときに、その画像に対応するサムネイル画像を前記画像ファイルに本来格納されているサムネイル画像に置き換えることを特徴とする請求項１６記載の画像再生方法。
【国際調査報告】
2003084223.tif 000027
2003084223.tif 000028
2003084223.tif 000029
2003084223.tif 000030